(57)【特許請求の範囲】
【請求項１】
トレーの下側面にトレーラックと概略Ｌ型のトレーガイド溝を有し、送りモータにて回転するトレー開閉ギアが上記トレーラックに噛み合うことで開閉し、そしてトレーのスライド方向に対して垂直を成す左右方向に移動するカムロッドを備えたディスク装置において、所定の位置にカムロッドの接点に当って揺動するアームを備えた１個のリミットスイッチを取付け、該リミットスイッチにて上記カムロッドの移動可能な範囲内での一方の端部に達したことを検出することでトレーの開きを停止するように制御し、他方の端部に達したことを検出することでディスクの回転モータを駆動するように制御し、そしてピックアップが外周側から移動して内周位置に達した場合に、ピックアップ送りラックを延長して設けたアーム先端がカムロッドに設けているアームに接して押圧される該カムロッドの一方の端部側への移動を上記リミットスイッチで検出してディスク回転モータを停止するように制御することを特徴とするディスク装置。
【請求項２】
上記カムロッドにはＬ型のトレーガイド溝に遊嵌するボス、ピックアップ装置のピックアップ送り駆動ギアと噛み合う為に駆動切替えギアを揺動させるガイド溝、そしてピックアップ送り装置を装着しているトラバースホルダーの先端ボスが嵌って上下方向に揺動するガイド溝を設けた請求項１記載のディスク装置。
【発明の詳細な説明】
【０００１】
【発明の属する技術分野】
本発明はＣＤ、ＤＶＤ、ＭＤ等の光ディスクや光磁気ディスクを再生・記録する為の装置であって、１個のスイッチでもってトレーの開きを検出し、又ディスク回転モータを回転させる為の制御を行うことで、構造を簡略化すると共に製作コストを安くしたディスク装置に関するものである。
【０００２】
【従来の技術】
ＣＤ、ＤＶＤ等のディスクを再生する為のディスク装置は、ディスクを載せて出し入れするトレー、ディスクを回転させる駆動部、そしてピックアップ及び該ピックアップを移動させる送り装置等から成っている。これら各構成部の動きに必要なモータが備わって制御され、各モータを介してそれぞれ必要な動作を行なうことが出来る。
【０００３】
特開平９−２７１８０号に係る「ディスクプレーヤー」は、ケーシングにディスク支持用トレーが前後方向に出退可能に配設されると共に、該ケーシング内に前記トレー上に載置されたディスクに記録されている情報を読み取る為のドライブ機構が配設されたディスクプレーヤーにおいて、前記ドライブ機構は、その後部を中心に上下揺動してトレー上のディスクに係合する水平姿勢とそのトレー上のディスクから離間する傾斜姿勢とに姿勢変更可能に構成され、前記ドライブ機構を、トレーの前進動作の開始に先立って水平姿勢から傾斜姿勢に変更させると共に、トレーの後退動作の終了後に傾斜姿勢から水平姿勢に変更させるカム機構がドライブ機構の前部とケーシングとの間に設けられている。
【０００４】
ところで、トレーにはラックが設けられ、このラックにトレー開閉ギアが噛み合って回転することでトレーは開閉する。そして該トレー開閉ギアはカムロッドの片端部に設けているラックと噛み合って該カムロッドを左右方向に移動させることが出来、一方、カムロッドの左右方向移動によってドライブ機構を上下方向に揺動させる。すなわちトレー開閉ギアの回転によりトレーが開閉すると共にドライブ機構が揺動する。
【０００５】
ここで、トレーが前進して開く位置、及び後退して閉じる位置は正しく設定されなくてはならず、その為にトレー裏面に係合枠を形成し、この係合枠にカムロッドに突出している切換えピンが係合することで閉じたトレーは正しく位置決めされる。又開くトレーの位置決めはトレー前進停止用リミットスイッチにて制御される。
【０００６】
【発明が解決しようとする課題】
このように、トレーの開閉位置を定めるにおいてトレー裏側に形成した係合枠にカムロッドの切換えピンを係合し、トレー前進用リミットスイッチが用いられている。本発明が解決しようとする課題は、１個のリミットスイッチによってトレーの開閉状態及びカムロッドの位置を正しく制御して次の動作を開始する信号を発するようにしたディスク装置を提供する。
【０００７】
【課題を解決する為の手段】
本発明のディスク装置はトレーの開閉状態、及びトレーの開閉に伴って左右に移動するカムロッドの位置を１個のリミットスイッチによって制御することが出来るように構成している。その為にディスク装置が全体的にコンパクト化し、構造が簡略され、製作コストは安くなる。
【０００８】
トレーの下側にはラックが前後方向に設けられ、又該ラックに沿って概略Ｌ型をしたガイド溝が形成されている。上記ラックにはピニオン(ギア)が噛み合っていて、送りモータにてトレー開閉ギアが回転駆動するならば、ラックが前進・後退動してトレーは開閉することが出来る。そして、Ｌ型のガイド溝には駆動切替え手段としてのカムロッドから突出して設けているボスが遊嵌している。
【０００９】
カムロッドの片端にはラックを設け、トレーが後退して閉じるならば概略Ｌ型ガイド溝に遊嵌している上記ボスはコーナー部に差し掛かることでカムロッドは僅かに左右方向に移動して上記トレー開閉ギアと噛み合う。回転するトレー開閉ギアと噛み合ったラックはスライドしてカムロッドを移動させることに成るが、カムロッドに形成しているガイド溝には駆動切替えギアから延びるボスが遊嵌していて、ガイド溝の移動に伴って該駆動切替えギアはその位置を変えることが出来る。
【００１０】
上記駆動切替えギアは送りモータによって回転駆動する別のギアと噛み合っていると共に、該ギアの軸を中心に揺動するアーム先端に取付けられている。従って、揺動する駆動切替えギアはカムロッドの上記ガイド溝に沿って揺動することでその位置を変えることが出来、その結果、ピックアップ送り駆動ギアと噛み合うことが出来る。ピックアップの送り装置は上記ピックアップ送り駆動ギアを先頭に複数個のギアが噛み合うギア機構から構成されている。
【００１１】
このように、トレーの開閉動に伴ってカムロッドは左右方向に移動することが出来、本発明はカムロッドの左右動を感知する為のスイッチを取付けている。スイッチの揺動アームにカムロッドに形成している接点部が当ることで該カムロッドの位置を検出すると共に、ディスク装置の次の動作を開始する信号を発することが出来る。該スイッチはカムロッドの左方向移動に伴う左端の位置と右方向移動に伴う右端の位置を検出し、この位置を検出することでトレーの開きを停止し、ディスクの回転モータを駆動し、又ピックアップが外周側から移動して内周位置に達したことを検出してディスク回転モータを停止する。
【００１２】
ディスク回転駆動モータ、ピックアップ及び該ピックアップの送り装置は後方に設けた軸を基点として上下に揺動するトラバースホルダーに取付けられている。トラバースホルダーの先端ボスはカムロッドに形成している別のガイド溝に遊嵌している。そこで、上記ピックアップ送り装置のピックアップ送り駆動ギアはトラバースホルダーの揺動に伴って上昇し、同時にアーム先端に取付けている揺動する駆動切替えギアと噛み合うことになる。
【００１３】
このように、本発明に係るディスク装置は、開いているトレーがトレー開閉ギアの回転にて後退して閉じ、トレーの下側に設けているラックから離れると共にカムロッドのラックが該トレー開閉ギアと噛み合ってカムロッドを移動し、そして該カムロッドに形成しているガイド溝によって駆動切替えギアが揺動すると共にカムロッドの別のガイド溝に案内されて揺動するトラバースホルダーに取付けられているピックアップ送り駆動ギアに噛み合う。
【００１４】
この一連の動作が完了したことを上記スイッチがカムロッドの移動位置で検出し、ピックアップ装置を作動してディスクを再生・記録することが出来る。逆に、トレーが前進して開いた位置は同じくカムロッドの移動をスイッチが検出する。以下、本発明に係る実施例を図面に基づいて詳細に説明する。
【００１５】
【実施例】
図１は本発明のディスク装置を示している平面図であり、トレー１が開いている状態を示している。トレー１の上面には円形の浅い溝が形成されていて、該溝にディスクが嵌ってセットされる。又下面側にはトレーラック２が前後方向に設けられ、該トレーラック２に沿って概略Ｌ型のトレーガイド溝３を設けている。そしてトレーラック２にはトレー開閉ギア４が噛み合い、トレーガイド溝３にはカムロッドボス５が遊嵌している。
【００１６】
上記のトレー開閉ギア４は送りモータ６にて回転駆動され、該トレー開閉ギア４が回転することでトレーラック２及びトレー１は後退して閉じることが出来る。該トレー１は定められた距離を前進、後退動することで開閉することになるが、概略Ｌ型のトレーガイド溝３はトレーラック２と平行を成す縦ガイド溝７とトレーラック２に対して垂直を成す横ガイド溝８、及び縦ガイド溝７と横ガイド溝８の間に形成されるコーナーガイド溝９から成っている。又、縦ガイド溝７の後方端部は湾曲して延びている。
【００１７】
従って、トレー１が開く為に前進する場合、縦ガイド溝７に遊嵌しているカムロッドボス５が湾曲部３０に差し掛かることで該トレー１は停止する。又トレーが閉じる為に後退する場合、縦ガイド溝７に遊嵌しているカムロッドボス５がコーナーガイド溝９に差し掛かることで該トレー１は停止する。すなわち、トレーガイド溝３に沿ってカムロッドボス５が動くことで、本体と成るカムロッド１０が移動し、この動きを検出することでトレー１が停止する。
【００１８】
図２はトレー１が開いて停止した場合であるが、縦ガイド溝７の後方端部には湾曲部３０が形成され、この湾曲部３０を越えてカムロッドボス５が位置している。すなわち、トレー１が前進して開くならばカムロッドボス５は左側へ移動し、リミットスイッチ３１のアーム３２が同図のように左方向に倒れ、トレー１の開き度が規制される。
【００１９】
図３はトレー１が後退して閉じた状態であり、カムロッドボス５はトレーガイド溝３のコーナーガイド溝９に位置している。従って、カムロッド１０は右方向へ移動し、トレーラック２から外れたトレー開閉ギア４はカムロッド１０の片端部に設けているカムロッドラック１１と噛み合うことになる。そしてトレー開閉ギア４が引き続き回転するならば、カムロッドボス５が横ガイド溝８に沿ってスライドし、カムロッドラック１１を右方向へ送ると共に上記カムロッド１０は右方向へ移動する。
【００２０】
カムロッド１０が右方向へ移動するならば、駆動切替えギア１２は揺動してピップアップ送り駆動ギア１３と噛み合うことになる。図４はカムロッド１０を示している実施例であり、カムロッドボス５が上方へ突出し、片端部にはカムロッドラック１１を有している。又、ガイド溝１４が左右方向ヘ水平に延び、別のガイド溝１５は垂直面内に上下に段差を持って形成されている。
【００２１】
上記ガイド溝１４の右側半分は幅広と成っていて、駆動切替えギア１２の中心から下方へ延びたボス１８がガイド面１６ａ，１６ｂに沿って摺動し、途中に形成したリブ１７に当って駆動切替えギア１２は揺動する。図５はカムロッド１０が右方向へ移動した場合であり、駆動切替えギア１２はピックアップ送り駆動ギア１３と噛み合っている。この場合、同図に示すようにカムロッドラック１１はトレー開閉ギア４から離れている。そして、駆動切替えギア１２がピックアップ送り駆動ギア１３から離れないように、すなわち安定して噛み合いつづける為に右方向へ作用するバネ力が作用している。
【００２２】
カムロッド１０が右方向へ移動することで駆動切替えギア１２のボス１８はガイド面１６ａからリブ１７にガイドされてガイド面１６ｂに達することで、該切替えギア１２はピックアップ送り駆動ギア１３側へ近づく。図６に示すように駆動切替えギア１２は送りモータ６にて回転するギア１９の軸に揺動可能に取付けたアーム２０の先端に軸支され、従ってガイド面１６ａ，１６ｂに沿ってスライドするボス１８によってアーム２０を揺動してピックアップ送り駆動ギア１３と噛み合うことが出来る。
【００２３】
ただし、駆動切替えギア１２だけがピックアップ送り駆動ギア１３に近づいても噛み合うことは出来ず、下方に位置しているピックアップ送り駆動ギア１３は上昇することで噛み合うようになっている。図７はディスク装置の側方からの断面図であるが、トレー１が後退して閉じるならば、トラバースホルダー２１は後方に設けている軸を基点として揺動し、水平状態と成る。
【００２４】
従って、該トラバースホルダー２１に取付けられているディスク回転モータ２２、ピックアップ２３、及びピックアップ送り装置２４は上昇し、ピックアップ送り装置２４を構成するピックアップ送り駆動ギア１３は上昇することで、揺動して近づく駆動切替えギア１２と噛み合うことが出来る。
【００２５】
トラバースホルダー２１の先端にはボス２４が突出し、このボス２４は前記図４で説明したカムロッド１０のガイド溝１５に遊嵌している。カムロッド１０が右方向へ移動することで、ガイド溝１５に遊嵌しているボス２４は上昇し、正面側を低くして傾斜しているトラバースホルダー２１が水平に成る。図８はカムロッド１０の左右方向移動により、ガイド溝１５に遊嵌しているボス２４の位置を示している。
【００２６】
このように、駆動切替えギア１２と噛み合ったピックアップ送り駆動ギア１３は回転し、ピックアップ送り装置２５を介してピックアップ２３を送り移動させる。すなわち、ピックアップ送りギア２６がピックアップ送りラック２７と噛み合っている為に、ピップアップ送り駆動ギア１３にてピックアップ送りギア２６が回転し、ピックアップ送りラック２７は移動する。(図５参照)
【００２７】
図９はカムロッド１０に設けているカムロッドボス５が横ガイド溝８の端部に位置している場合を示している。この状態は駆動切替えギア１２が揺動してピックアップ送り駆動ギア１３と噛み合っている場合であり、この状態をリミットスイッチ３１は検出する。すなわち、該リミットスイッチ３１のアーム３２はカムロッド１０の移動で右側へ倒れ、駆動切替えギア１２がピックアップ送り駆動ギア１３と噛み合い、ピックアップ送り装置２５が作動すると共にディスク回転モータ２２が回転する。
【００２８】
図１０はトレー１が開く為の前段階を示している。右方向へ移動しているカムロッド１０のカムロッドラック１１はトレー開閉ギア４から離れている為に、該トレー開閉ギア４にカムロッドラック１１を噛み合わせることが必要となる。そこで、ピックアップ送りラック２７を延長して設けているアーム２８の先端が矢印方向(正面側)へ移動することでカムロッド１０に設けているアーム２９(図４参照)に接し、カムロッド１０は矢印方向(左方向)ヘ移動する。アーム２８先端がカムロッド１０のアーム２９に接する場合とは、ピックアップ２３がディスク内周に移動したときであり、アーム２８がアーム２９を押圧することでカムロッド１０が左側へ移動し、前記図９に示しているリミットスイッチ３１のアーム３２が揺動してこの状態を検出する。従って、ディスク回転モータ２２は停止する。
【００２９】
そこで、カムロッドラック１１はトレー開閉ギア４と噛み合い、該トレー開閉ギア４が回転することでカムロッド１０はトレー１の横ガイド溝８に沿って移動する。そして、横ガイド溝８に遊嵌しているカムロッドボス５がコーナーガイド溝９に差し掛かるならば、トレー１は正面側に僅かに押出され、トレー１のトレーラック２にトレー開閉ギア４が噛み合うことになる。その後はトレー開閉ギア４の回転によってトレー１は前進して開かれる。
【００３０】
以上述べたように、本発明のディスク装置は、トレーの動きに連動するカムロッドを設け、該カムロッドの左右方向の移動を検出してトレーの開き度を規制し、又ディスク回転モータが回転したり停止するように制御したものであり、次のような効果を得ることが出来る。
【００３１】
【発明の効果】
本発明のディスク装置はカムロッドの左右方向の移動を検出することでトレーの開き度を規制することが出来、又ピックアップ送り装置の作動に伴ってディスク回転モータを回転することが出来る。そして、ピックアップがディスク外周から移動して内周位置に達したところでディスク回転モータを停止する。すなわち、１個のスイッチで上記３通りの動作を制御することが出来、構造が簡略化されて部品点数は少なくなり、結果的に製作コストは安くなる。
【００３２】
そしてスイッチを動かすカムロッドには２本のガイド溝が形成され、一方のガイド溝に遊嵌したボスによって駆動切替えギアを揺動させ、他方のガイド溝にはトラバースホルダーの先端ボスが遊嵌してピックアップ送り駆動ギアと噛み合うことが出来るようにしている。
【図面の簡単な説明】
【図１】トレーが開いた場合のディスク装置。
【図２】トレーが開いた状態でのカムロッドに設けたボスの位置。
【図３】トレーが閉じた場合のディスク装置。
【図４】カムロッドの平面図と正面図。
【図５】カムロッドが右方向へ移動することで駆動切替えギアがピックアップ送り駆動ギアと噛み合った場合。
【図６】ギアに軸支したアーム先端に取付けられている駆動切替えギア。
【図７】  (ａ)はトレーが開いている場合の側方からの断面図、(ｂ)はトレーが閉じている場合の側方からの断面図。
【図８】トラバースホルダー先端に設けているボスがカムロッドのガイド溝に遊嵌している場合。
【図９】トレーが閉じている場合のカムロッドに設けているボスの位置。
【図１０】トレーが開く手前の段階。
【符号の説明】
１  トレー
２  トレーラック
３  トレーガイド溝
４  トレー開閉ギア
５  カムロッドボス
６  送りモータ
７  縦ガイド溝
８  横ガイド溝
９  コーナーガイド溝
10  カムロッド
11  カムロッドラック
12  駆動切替えギア
13  ピックアップ送り駆動ギア
14  ガイド溝
15  ガイド溝
16  ガイド面
17  リブ
18  ボス
19  ギア
20  アーム
21  トラバースホルダー
22  ディスク回転モータ
23  ピックアップ
24  ボス
25  ピックアップ送り装置
26  ピックアップ送りギア
27  ピックアップ送りラック
28  アーム
29  アーム
30  湾曲部
31  リミットスイッチ
32  アーム
【図１】
0003942937.tif 000002
【図２】
0003942937.tif 000003
【図３】
0003942937.tif 000004
【図４】
0003942937.tif 000005
【図５】
0003942937.tif 000006
【図６】
0003942937.tif 000007
【図７】
0003942937.tif 000008
【図８】
0003942937.tif 000009
【図９】
0003942937.tif 000010
【図１０】
0003942937.tif 000011